(57)【要約】【課題】正確な位置検出、及び、高品位な画像表示が可能なタッチパネル付き電気光学装置を提供する。【解決手段】タッチパネル付き電気光学装置は、点灯及び消灯を繰り返す光源４１、その内部に前記光源から導入された光を、少なくともその幅広面で全反射する導光板４２、及び、前記幅広面に接触した物体による、前記光に起因する散乱光を検出する光検出素子１５、等を備える。位置検出回路５４は、前記光源の点灯時における光検出素子の出力と消灯時における出力との差をとって前記散乱光の有無又は強度を検知する。これにより、前記物体の前記幅広面上における接触位置が検出される。【選択図】図１
2009187342.tif 000002
【特許請求の範囲】
【請求項１】
点灯及び消灯を繰り返す光源と、
その内部に前記光源から導入された光を、少なくともその幅広面で全反射する導光板と、
前記幅広面に接触した物体による、前記光に起因する散乱光を検出する光検出手段と、
前記光源の点灯時における前記光検出手段の出力と当該光源の消灯時における当該出力との差をとって前記散乱光の有無又は強度を検知することで、前記幅広面上における前記物体の接触位置を検出する位置検出手段と、
を備えることを特徴とするタッチパネル。
【請求項２】
前記光源は、有機ＥＬ素子を含む、
ことを特徴とする請求項１に記載のタッチパネル。
【請求項３】
前記幅広面を覆うように設けられる反射防止膜を更に備える、
ことを特徴とする請求項１又は２に記載のタッチパネル。
【請求項４】
前記物体がもつ汚れが前記幅広面に転写するのを防止する汚損防止膜を更に備える、
ことを特徴とする請求項１乃至３のいずれか一項に記載のタッチパネル。
【請求項５】
前記幅広面に付着した汚れを検知する汚損検知手段を更に備え、
前記位置検出手段は、
前記散乱光の有無又は強度を検知する際に、
前記汚損検知手段による検知結果に応じて、前記汚れに起因する撹乱散乱光の存在を無視する、
ことを特徴とする請求項１乃至４のいずれか一項に記載のタッチパネル。
【請求項６】
請求項１乃至５のいずれか一項に記載のタッチパネルと、
前記導光板の幅広面に略一致する面に、電気光学素子の光学的特性の変化に応じた画像を表示する画像表示装置と、
を備え、
前記画像表示装置は、
複数の画素電極が形成される第１基板と、
該第１基板に対向配置され、前記画素電極との間で所定の電位差を設定するための対向電極が形成される第２基板と、
これら第１基板及び第２基板間に挟持される電気光学物質と、
を含み、
前記導光板、前記第１基板及び前記第２基板は積層構造をとる、
ことを特徴とする電気光学装置。
【請求項７】
前記複数の画素電極は、前記第１基板の上でマトリクス状配列に従って並び、
前記光検出手段は、複数の光検出素子を含み、
前記複数の光検出素子は、
前記第１基板の上で、前記マトリクス状配列に応じた所定の配列に従って並ぶ、
ことを特徴とする請求項６に記載の電気光学装置。
【請求項８】
前記位置検出手段は、
前記接触位置を検出するにあたり、
前記複数の光検出素子それぞれの前記第１基板上における配置位置を参照する、
ことを特徴とする請求項７に記載の電気光学装置。
【請求項９】
前記第２基板上に、前記マトリクス状配列に対応する配列に従って並ぶカラーフィルタを更に備え、
前記カラーフィルタは、
前記光検出素子に係る前記所定の配列に対応する配列に従って並ぶ光検出素子用フィルタを含む、
ことを特徴とする請求項７又は８に記載の電気光学装置。
【請求項１０】
前記光源は、前記光検出素子用フィルタの色と同じ色の光を発する、
ことを特徴とする請求項９に記載の電気光学装置。
【請求項１１】
前記電気光学物質から発し又は前記電気光学物質を透過した光を、前記導光板に向けて、相異なる少なくとも２つの方向に沿って進行させるレンズ手段を更に備え、
当該電気光学装置は、
前記少なくとも２つの方向それぞれに対応する、少なくとも２つの表示範囲の各々に、画像を表示する、
ことを特徴とする請求項６乃至１０のいずれか一項に記載の電気光学装置。
【請求項１２】
前記光検出素子は、
前記画素電極からみて、前記少なくとも２つの方向の各々に沿って延びる各直線全体が張る平面の法線方向に所定量ずらされた位置に形成される、
ことを特徴とする請求項１１に記載の電気光学装置。
【請求項１３】
前記電気光学物質は液晶を含み、
前記画像表示装置は偏光板を更に含み、
当該偏光板は、前記レンズ手段に貼り付けられている、
ことを特徴とする請求項１１又は１２に記載の電気光学装置。
【請求項１４】
前記光源は、
前記画像を表示するためのフレーム周波数よりも大きい周波数で、点灯及び消灯を繰り返す、
ことを特徴とする請求項６乃至１３のいずれか一項に記載の電気光学装置。
【請求項１５】
請求項６乃至１４のいずれか一項に記載の電気光学装置を備える、
ことを特徴とする電子機器。
【発明の詳細な説明】
【技術分野】
【０００１】
本発明は、タッチパネル、液晶表示装置等の電気光学装置及び電子機器に関する。
【背景技術】
【０００２】
従来、２つの表示範囲のそれぞれに異なる画像を表示することで、視認者に立体画像を認識させることの可能な液晶表示装置等の電気光学装置（以下、「立体画像表示装置」ということがある。）が提案されている。これは、前記２つの表示範囲それぞれを、視認者の右眼及び左眼に対応させるとともに、両表示範囲に若干異なる内容の右眼用画像及び左眼用画像を表示することで視差を生じさせ、これにより当該視認者に立体感を感じさせることが可能な画像表示装置である。
一方、従来、いわゆるタッチパネルが提供されている。これは、画像表示面におけるユーザの指等の接触位置を検出することを通じて、そのユーザの意思・指令等を当該装置に伝えることの可能な装置である。このタッチパネルは、直感的な操作を許容することから、きわめてユーザフレンドリーな側面をもち、券売機、銀行ＡＴＭ、カー・ナビゲーションシステム等々の構成要素として広く普及している。
【０００３】
以上述べた立体画像表示装置及びタッチパネルは一個の装置として共存し得る。そのような装置としては、例えば特許文献１に開示されているようなものが知られている。
【特許文献１】特開２００４−２７２３５４号公報
【発明の開示】
【発明が解決しようとする課題】
【０００４】
ところで、上述したタッチパネルには、その位置検出機能が正確に発揮されるような構造、あるいは原理等の開発が期待されるのは勿論、一般的に、次のような課題もある。
すなわち、タッチパネルは、通常、画像表示機能を担う装置と一体的な関係をもつが、その性質上、その画像表示面を覆うように接触位置検出面（以下、この〔…解決…課題〕の項では、単に「接触面」という。）が設置されることが多い。しかし、そのため、画像を構成する光は、当該接触面を透過してくる必要があり、一定程度その減衰が生じることは避け得ない。あるいは、当該接触面で外光が反射することにより、表示画像のコントラストを低下させるという問題もある。要するに、タッチパネルの設置は、表示画像の品質に影響を与えるおそれが大きいのである。
【０００５】
このことは、前述した立体画像表示装置と、タッチパネルとが一個の装置を構成する場合、特に懸念される。立体画像表示装置は、上述のように、微妙な視差を生じさせることで視認者に立体感を感じさせる装置であるから、この視差を具体的にどのように設定するかが極めて重要である。しかるに、前記接触面は、この設定された視差に影響を与え、立体画像を歪ませる等のおそれが高いのである。
【０００６】
前述の特許文献１において、「タッチパネルセンサー１７０」は、「透明な樹脂層内に」、「透明な導電性樹脂からなる複数本の横線とこれに対応する…複数本の縦線」から構成され、指等の接触位置に応じた、「横線と縦線との静電容量の変化」を検知することで、位置検出機能を発揮する（以上、「」内は特許文献１の〔００３０〕）。しかし、このような構成はまさに、前述した不具合の発生を懸念させる。「透明」とはいえ、線状の導電性樹脂が格子状に配列された構成では、前記でいうところの接触面において、反射、回折、散乱等々の比較的複雑な光の挙動を生じさせるおそれが高いからである。
【０００７】
本発明は、上述した事情に鑑みてなされたものであり、前述した課題の全部又は一部を解決することの可能な、タッチパネル、液晶表示装置等の電気光学装置及び電子機器を提供することを課題とする。
【課題を解決するための手段】
【０００８】
本発明に係るタッチパネルは、上述した課題を解決するため、点灯及び消灯を繰り返す光源と、その内部に前記光源から導入された光を、少なくともその幅広面で全反射する導光板と、前記幅広面に接触した物体による、前記光に起因する散乱光を検出する光検出手段と、前記光源の点灯時における前記光検出手段の出力と当該光源の消灯時における当該出力との差をとって前記散乱光の有無又は強度を検知することで、前記幅広面上における前記物体の接触位置を検出する位置検出手段と、を備える。
【０００９】
本発明によれば、まず、前記接触位置の検出が正確に行われ得る（以下、この〔課題…解決…手段〕の項において、〔効果１〕という。）。というのも、本発明においては、位置検出手段が、光検出手段の出力のいわば差分を導出することによって、ユーザの指等の物体による前記散乱光を検知するようになっているからである。ここで“差分”は、光源の点灯時と消灯時との間に関してとられる。したがって、例えば、前記幅広面に、タッチパネルの外部から入射する光の影響は、この差分によってキャンセルされ得る一方、前記散乱光の検知がより確実に行われる。また、当該タッチパネルには、後述するような「画像表示装置」が付設され得るが、この場合、当該画像表示装置に由来する画像表示用の光もまた当該タッチパネルに届く。しかし、このような画像表示用の光の影響も、上述と同様、前記差分によってキャンセルされ得る。
このようにして、本発明においては、物体による散乱光を検出することによって、前記接触位置を検出する原理を採用するにもかかわらず、前述した外部光、あるいは画像表示用の光の影響を受けることなく、正確な位置検出が行われ得るようになっているのである。
【００１０】
また、本発明のタッチパネルは、前記幅広面にほぼ一致する面に表示され得る画像の品質に影響を与えるおそれが極めて少ない（以下、この〔課題…解決…手段〕の項において、〔効果２〕という。）。なぜなら、前述のように、本発明に係るタッチパネルは、導光板の幅広面に接触した物体の散乱光を検出するという原理に基づいているから、当該導光板は、例えば前記〔…解決…課題〕の項で述べたような「複数本の横線」及び「複数本の縦線」といった、比較的複雑な構造をとる必要がないからである。具体的には例えば、当該導光板は、単なる一枚板のガラス板として準備され得る。したがって、前述したような画像表示用の光は、タッチパネル、ないしは導光板を殆ど減衰すること等なく透過可能なのである。
【００１１】
この発明のタッチパネルでは、前記光源は、有機ＥＬ素子を含む、ように構成してもよい。
この態様によれば、前述した本発明に係る効果がより実効的に奏される。その中でも特に、本態様は、前記〔効果２〕、即ち表示画像の品質維持ないし向上に大きく貢献する。というのも、本態様では、光源が有機ＥＬ（electro luminescent）素子を含むので、例えば光源として蛍光管を利用する場合に比べて、導光板をより薄くすることが可能（したがって、前記の画像表示用の光の減衰度を更に低めることが可能）となるからである。蛍光管を利用する場合、その外径の微小化には物理的な限界があるが、有機ＥＬ素子に関しては、そのような意味における限界は存在しない。
【００１２】
また、本発明のタッチパネルでは、前記幅広面を覆うように設けられる反射防止膜を更に備える、ように構成してもよい。
この態様によれば、前述した本発明に係る効果がより実効的に奏される。まず、反射防止膜は導光板における外部光の反射を抑制するので、例えば、表示画像のコントラストを低下させるなどといった不具合は発生せず、前記〔効果２〕は更に実効的になる。また、タッチパネル内における外部光それ自体の、いわばその絶対量の減少が可能にもなるから、前記〔効果１〕も更に実効的になる。
【００１３】
また、本発明のタッチパネルでは、前記物体がもつ汚れが前記幅広面に転写するのを防止する汚損防止膜を更に備える、ように構成してもよい。
この態様によれば、前述した本発明に係る効果がより実効的に奏される。まず、前記汚れは、光源出射の光等に起因する散乱光（後述する「撹乱散乱光」に相当する。）の発生原因となりえ、したがって、本来検知すべき散乱光との関係では、呼ばれざるべき“ノイズ”の発生原因となってしまうということになり得る。しかしながら、本態様では、その汚れの幅広面への転写が防止されるのであるから、このような不具合発生のおそれは相当程度軽減され、その結果、前記〔効果１〕がより実効的に奏される。
また、汚れが導光板に不存在であるなら、前記画像表示用の光が当該汚れによってその進行を遮られるということがないから、前記〔効果２〕もより実効的に奏される。
【００１４】
また、本発明のタッチパネルでは、前記幅広面に付着した汚れを検知する汚損検知手段を更に備え、前記位置検出手段は、前記散乱光の有無又は強度を検知する際に、前記汚損検知手段による検知結果に応じて、前記汚れに起因する撹乱散乱光の存在を無視する、ように構成してもよい。
この態様によれば、前記汚れに起因する撹乱散乱光の存在が「無視」された上で、本来検知すべき前記物体由来の散乱光の有無又は強度が検知される。よって、前記〔効果１〕がより実効的に奏される。
なお、本態様において、「無視」するということを実現するための具体的態様は、様々であり得る。典型的には例えば、第１に、前記汚損検知手段によって、汚れが前記幅広面のどこに位置するかを特定し、第２に、前記光検出手段によって、位置検出機能の運用前に予め、当該位置における撹乱散乱光の強度を検知しておき、第３に、位置検出機能を運用する際には、光検出手段における、いわば裸の検出結果から、前記第１及び第２の工程によって知られた位置及び強度に基づく影響分を差し引く、等というようである。あるいは、これとは別に、予め知られた前記位置及び強度に基づく影響の分だけ、当該位置以外の光検出手段の出力をかさ上げして考える、等といった態様も、「無視」するということを実現する一態様である。
【００１５】
一方、本発明に係る電気光学装置は、上述した課題を解決するため、上述した各種態様のタッチパネルと、前記導光板の幅広面に略一致する面に、電気光学素子の光学的特性の変化に応じた画像を表示する画像表示装置と、を備え、前記画像表示装置は、複数の画素電極が形成される第１基板と、該第１基板に対向配置され、前記画素電極との間で所定の電位差を設定するための対向電極が形成される第２基板と、これら第１基板及び第２基板間に挟持される電気光学物質と、を含み、前記導光板、前記第１基板及び前記第２基板は積層構造をとる。
【００１６】
本発明によれば、例えば液晶、あるいは有機ＥＬ物質等々の電気光学物質を含む「画像表示装置」を含んで、「電気光学装置」が構成される。かかる「画像表示装置」は、比較的薄く製造することが可能である等の特性を備えるので、これと「タッチパネル」との組み合わせは、あり得る最適な選択肢の１つを提供する。
また、この電気光学装置は、上述した各種態様のタッチパネルを備えてなるので、当然、既に述べた〔効果１〕及び〔効果２〕は同様に奏される。なお、このうち〔効果１〕に関連して、本発明のように、「電気光学装置」が、第１基板、電気光学物質、第２基板、及び導光板という積層構造をもつ場合、前記の画像表示用の光は、これら各層の界面で反射する可能性が高まる。したがって、光検出手段の出力に対する当該光の影響は、前述した一般的記述の場合に比べてより深刻になる可能性がある。しかるに、前述した差分をとることによるキャンセルの原理は、このような場合であっても基本的に同様に妥当する。
要するに、本発明においては、上述したような、より大きな外乱要因の存在が推測される場合であっても、前述のキャンセル原理は妥当するので、前記〔効果１〕は、その意味においてより実効的に享受され得ることになるのである。
【００１７】
この発明の電気光学装置では、前記複数の画素電極は、前記第１基板の上でマトリクス状配列に従って並び、前記光検出手段は、複数の光検出素子を含み、前記複数の光検出素子は、前記第１基板の上で、前記マトリクス状配列に応じた所定の配列に従って並ぶ、ように構成してもよい。
この態様によれば、画素電極と光検出素子とが同一の基板（即ち、第１基板）の上に形成されることになるので、「タッチパネル」を含む「電気光学装置」を全体的観点からみた場合の構成・構造が、効率的、簡易、あるいは好適になる。
なお、第１基板が、前記画素電極に加えて、例えば、当該画素電極に画像信号を供給するかどうかを司るスイッチング素子（例えば、薄膜トランジスタ等）を備えるのであれば、このスイッチング素子は、前記光検出素子と同時に、あるいは同一の層を構成する要素として形成されてよい。この場合、いずれの素子も半導体層を含み得るので、そのような場合には、製造容易性が高まり、また製造効率の上昇も見込まれる。
【００１８】
この態様では、前記位置検出手段は、前記接触位置を検出するにあたり、前記複数の光検出素子それぞれの前記第１基板上における配置位置を参照する、ように構成してもよい。
この態様によれば、前記〔効果１〕が更に実効的に奏される。すなわち、本態様では、光検出素子が、マトリクス状配列に応じた所定の配列に従って並ぶ。簡単には例えば、当該光検出素子も、画素電極と同様、当該マトリクス状配列と同じマトリクス状配列に従って並ぶ、というようである。これによれば、例えば、前述した“差分”により検知される、前記散乱光の有無あるいは強度は、一般に、それら、所定の配列に従って並ぶ光検出素子の１個１個に固有のものとして検知され得ることになる。ところで、前記散乱光は、言うまでもなく「幅広面に接触した物体」によって生じさせられたものである。
このようなことから結局、典型的には例えば、Ｎ個ある位置検出素子のうち、散乱光を検出した、ある１個の光検出素子が特定されれば、それと同時に、その光検出素子の位置もまた特定され、その位置を接触位置と認定することで、当該接触位置の検出が可能、ということになる。
このようにして、本態様では前記〔効果１〕が更に実効的に奏される。
なお、本態様を含め、前述した光検出素子を含む態様に関連しては、後述する実施形態中の各種の変形を説明する際における項目番号（２）における説明も参照されたい。
【００１９】
あるいは、前述した光検出素子を含む態様では、前記第２基板上に、前記マトリクス状配列に対応する配列に従って並ぶカラーフィルタを更に備え、前記カラーフィルタは、前記光検出素子に係る前記所定の配列に対応する配列に従って並ぶ光検出素子用フィルタを含む、ように構成してもよい。
この態様によれば、まず、カラーフィルタの存在によってカラー画像表示が可能である。
そして、本態様では特に、このカラーフィルタが光検出素子用フィルタを含む。この光検出素子用フィルタは、光検出素子に係る、前記「所定の配列」に対応する配列に従って並ぶので、好適には、光検出素子の全部が、当該光検出素子用フィルタによっていわば覆われるかのごとき状態が呈されることになる。
このようなことから、本態様によれば、前記〔効果１〕が更に実効的に奏される。というのも、本態様によると、光検出素子と、光検出素子用フィルタとの間に上述のような関係があるので、当該光検出素子には、ある所定の波長域にある光だけが進入するということになり、その結果、光検出素子の出力のうち、前述した外部光（これは一般に白色光である）等による寄与分が、相対的に減少するとみることができるからである。
このように、本態様においては、当該外部光等の、いわば絶対量の減少が可能となるから、前記〔効果１〕は更に実効的に奏されるのである。
【００２０】
この光検出素子用フィルタを備える態様では更に、前記光源は、前記光検出素子用フィルタの色と同じ色の光を発する、ように構成してもよい。
これによれば、光源から発せられる光は、前記光検出素子用フィルタの色と同じであるから、前記散乱光について、前述したような“絶対量の減少”という事態は生じない。つまり、当該散乱光は、何ら問題なく光検出素子に到達する。
このようなことから、本態様では、光検出素子用フィルタが存在しない場合における位置検出の正確性が維持される。より正確に言えば、光源出射光の色と光検出素子用フィルタの色が同じであることから、位置検出の正確性は、光検出素子用フィルタの存在・不存在に影響を受けないのである。そして、本態様では、そうでありながらも、なお前述した外部光の減少による位置検出の正確性の向上を見込むことができるのである。
【００２１】
また、本発明の電気光学装置では、前記電気光学物質から発し又は前記電気光学物質を透過した光を、前記導光板に向けて、相異なる少なくとも２つの方向に沿って進行させるレンズ手段を更に備え、当該電気光学装置は、前記少なくとも２つの方向それぞれに対応する、少なくとも２つの表示範囲の各々に、画像を表示する、ように構成してもよい。
この態様によれば、例えば、立体画像表示、あるいは二画像表示等を行うことができる。前者は、前記表示範囲が２つであり、一方に右眼用画像、他方に左眼用画像を表示するとともに、両者間に適当な視差を設定することで、可能である。このような場合、いま述べたような視差の設定が絡むので、前記〔効果２〕が奏されることは、より切実に待望される。というのも、かかる場合に、表示画像の品質がタッチパネルの存在によって貶められるようなことがあったり、あるいは、せっかく設定した視差に影響が及ぼされるようなことがあったりすると、立体画像が歪む等といったことが生じるからである。
しかるに、本態様では、このような不具合は殆ど発生しない。既に述べたように、前記〔効果２〕は導光板の構造が容易である等の理由によって奏されるのであり、画像の性質が何であるかに関わらないからである。言い換えると、このような立体画像表示を行う場合において、前記〔効果２〕は、より実効的に享受されるということができる。
なお、“二画像表示”については、後の実施形態中における該当する箇所（例えば、図２１及びその説明参照。）の説明を参照されたい。
【００２２】
この態様では、前記光検出素子は、前記画素電極からみて、前記少なくとも２つの方向の各々に沿って延びる各直線全体が張る平面の法線方向に所定量ずらされた位置に形成される、ように構成してもよい。
これによれば、光検出素子の存在が、例えば前述した視差の設定に影響を及ぼすことが回避される。すなわち、本態様において、光検出素子は、上述したような「ずらされた位置」に形成されていることから、例えば、レンズ手段を透過した光の進行方向を具体的に定めるにあたって、光検出素子の幅や長さ等といったことに関し配慮する必要がない。
以上により、本態様によれば、よりよい立体画像等の表示を行うことができる。
なお、本態様は、上に述べたところから明らかなように、前記「レンズ手段」を備える態様を前提とするとともに、前記「光検出手段」として「光検出素子」を含む態様をも前提とする。
【００２３】
また、前記レンズ手段を備える態様では、前記電気光学物質は液晶を含み、前記画像表示装置は偏光板を更に含み、当該偏光板は、前記レンズ手段に貼り付けられている、ように構成してもよい。
この態様によれば、当該電気光学装置の組立工程等において、偏光板及び導光板は、一体的に、あるいは１個の部品として取り扱われ得ることになるから、製造容易性等が高まる。また、導光板がガラスから作られる場合には、偏光板の存在により当該導光板の破損が未然に防止されるという効果も得られる。
【００２４】
また、本発明の電気光学装置では、前記光源は、前記画像を表示するためのフレーム周波数よりも大きい周波数で、点灯及び消灯を繰り返す、ように構成してもよい。
この態様によれば、前記の画像表示用の光の強度が、例えば時々刻々変動する場合（かかる場合には、典型的には例えば、画像表示装置が動画像を表示する場合等が含まれる。）であっても、そのことが、位置検出機能、あるいは光検出手段ないしその出力に与える影響を一定程度軽減することができる。画像のフレーム切換のタイミングよりも光源点滅のタイミングが速まれば、前記散乱光の検出のタイミングもまた速まり、したがってまた、前述した“差分”は、ある１フレーム期間中の一定の光度環境の中におけるデータとして取得され得ることになるからである。
【００２５】
一方、本発明の電子機器は、上記課題を解決するために、上述した各種態様の電気光学装置を備える。
本発明の電子機器は、上述した各種の電気光学装置を備えてなるので、正確な位置検出機能を享受し得るとともに、高品位な画像を表示することが可能である。
【発明を実施するための最良の形態】
【００２６】
＜第１実施形態＞
以下では、本発明に係る第１の実施の形態について図１乃至図３を参照しながら説明する。なお、これら図１乃至図３並びに以下で参照するその他の各図面においては、各層や各部材を図面上で認識可能な程度の大きさとするため、各層毎や各部材毎に縮尺を異ならせてある場合がある。
【００２７】
第１実施形態に係る液晶表示装置１００は、照明装置ＬＢ、液晶装置ＬＤ、偏光板３０Ｕ及び３０Ｌ、並びに、タッチパネル４０から構成されている（これらのうちタッチパネル４０を除く各要素（ＬＢ，ＬＤ，３０Ｕ，３０Ｌ）は、本発明にいう「画像表示装置」を構成する。）。この液晶表示装置１００の断面をみると、図３に示すように、その全体的な構成の積層順番は、同図中下から、照明装置ＬＢ、偏光板３０Ｌ、第１基板１０、液晶層ＬＱ、遮光膜ＢＭ及びカラーフィルタＣＦ、第２基板２０、偏光板３０Ｕ、タッチパネル４０となっている。
【００２８】
照明装置ＬＢは、導光板及び光源からなる（いずれも不図示）。このうち光源は、例えば白色ＬＥＤ（Light Emitting Diode）である。この光源は、例えば、比較的長尺の棒状ないしは直方体形状をもち、その長手方向が、略平板状の導光板の側端に沿うようにして配置される。光源から発せられた光は、導光板の当該側端からその内部に入射する。光源は、照明駆動回路５２によって、その点灯・消灯が制御される。
【００２９】
液晶装置ＬＤは、図１、あるいは図３に示すように、相互に対向する第１基板１０と第２基板２０とを備えている。第１基板１０と第２基板２０との間隙には液晶層ＬＱが位置する（図３参照）。第１基板１０及び第２基板２０は、例えばガラスや石英、プラスチックなどの透光性材料で作られる。
これら第１基板１０及び第２基板２０の上には、それぞれ、固有の積層構造物が構築される。
【００３０】
第１基板１０の側では、当該第１基板１０の上に、例えば、スイッチング素子としてのＴＦＴ（Thin Film Transistor）、走査線、データ線、画素電極、及びこれら各要素間に適宜設けられる透光性の層間絶縁膜等が順次構築される。図１においては、このうち画素電極９及び光検出素子１５が図示されている。なお、光検出素子１５は、第１実施形態において中心的な機能・役割を担うが、その構成及び作用等についての詳細は後に改めて述べる。
画素電極９は、図１に示すように、平面視してマトリクス状に配列されている（図３では不図示）。この画素電極９は、例えばＩＴＯ（Indium Tin Oxide）等の透光性かつ導電性材料で作られている。
【００３１】
第１基板１０の側には、上述に加えて、前記画素電極９の上に、配向膜（不図示）等が形成される。配向膜は液晶層ＬＱに接する。この配向膜の表面には、液晶層ＬＱを構成する液晶分子の初期配向状態を規制する配向処理が施されている。このような配向膜は、例えばポリイミド等の樹脂材料で作られている。
なお、液晶層ＬＱは、正の誘電率異方性を有する液晶を用いたＴＮモードで動作する構成をとりうる。
また、上述のような配向膜は、第２基板２０の側にも、液晶層ＬＱに直接接する膜として形成されている（当該配向膜も不図示）。
【００３２】
一方、第２基板２０の側では、当該第２基板２０の上に（図１及び図３の観点では「下に」ということになる。）、カラーフィルタＣＦ、遮光膜ＢＭ、対向電極等が構築される。図１においては、このうちカラーフィルタＣＦのみが図示されており、図３においては、これに加えて遮光膜ＢＭが図示されている。
【００３３】
カラーフィルタＣＦは、図１に示すように、前記の画素電極９の形成領域と呼応するように、平面視してマトリクス状に配列されている（図２における符号“ＣＦ１，９”、“ＣＦ２，９”及び“ＣＦ３，９”のそれぞれは、そのような事情を表現している。）。このカラーフィルタＣＦは、赤フィルタＣＦ１，緑フィルタＣＦ２及び青フィルタＣＦ３の三種のフィルタを含み、これら各々は、図１あるいは図２に示すように、所定の順番に従って配列される。図２では、Ｘ方向（行方向）に沿っては、赤フィルタＣＦ１，緑フィルタＣＦ２及び青フィルタＣＦ３がこの順に配列され、かつ、これを一組とする繰り返し配列がなされるようになっている一方、Ｙ方向（列方向）に沿っては、画素列毎に、赤フィルタＣＦ１の列、緑フィルタＣＦ２の列、及び青フィルタＣＦ３の列が、それぞれ並ぶような配列がなされている。
このカラーフィルタＣＦは、照明装置ＬＢから発し液晶層ＬＱを透過してきた光のうち、所定の波長域にある光のみを透過させる。つまり、透過光はいわば「着色」される。
【００３４】
なお、第１実施形態では、前述の赤フィルタＣＦ１、緑フィルタＣＦ２及び青フィルタＣＦ３の一組によって規定される領域を、特に“１ピクセル”と定義する。この１ピクセルにおいては、前記の３つのフィルタＣＦ１、ＣＦ２及びＣＦ３それぞれの光の透過状態に応じて、これらを一組としてみた場合におけるカラードットが表示可能である。言い換えると、この１ピクセルは、液晶装置ＬＤにおいて表示される画像の基礎単位ということができる。
【００３５】
遮光膜ＢＭは、前述したカラーフィルタＣＦの形成領域の間を縫うようにして、格子状に形成されている（図１及び図２では明示されていない。図３参照。）。
この遮光膜ＢＭは、隣接する画素間で透過光が交じり合うのを防止する。また、遮光膜ＢＭは、第１基板１０上に形成される前記走査線、前記データ線、前記ＴＦＴ等の不透明な材料を覆う役割も担う。逆に言えば、これら走査線等は、遮光膜ＢＭが格子状をもつことに対応して、格子状領域に配置されるのである。
【００３６】
対向電極は、前述したカラーフィルタＣＦ及び遮光膜ＢＭを覆うようにして、第２基板２０のほぼ全面に相当する領域に形成されている。対向電極は、前記画素電極９と同様、例えばＩＴＯ（Indium Tin Oxide）等の透光性かつ導電性材料で作られている。
【００３７】
前述した対向電極と画素電極９は、液晶駆動回路５３に接続されている。
この液晶駆動回路５３は、前述した走査線に選択信号を供給する走査線駆動回路、及び、前述したデータ線に画像信号を供給するデータ線駆動回路を含む。走査線駆動回路は、１つの画素行を単位として選択信号を発し、水平走査期間を規定する。データ線駆動回路は、走査線駆動回路によって選択された画素行に対して、画像信号を供給する（即ち、画像信号を書き込む。）。最初の画素行に画像信号の供給を開始してから、最終の画素行に画像信号を供給するまでの時間が、垂直走査期間となる。
なお、前記ＴＦＴは、前記選択信号の有無に応じて、ＯＮ状態及びＯＦＦ状態間を遷移し、そのＯＮ状態のときに、前記画像信号をデータ線から画素電極９へと伝達する。
【００３８】
以上の結果、各画素について、画素電極９及び対向電極間の電位差が適当に設定されることになり、その間に挟持された液晶層ＬＱ内の液晶分子の配向状態が適当に調整される。これにより、照明装置ＬＢからの出射光のうち観察側に透過する光量の割合（透過率）は画素電極９ごとに制御される。対向電極及び画素電極９間の電位差の大きさ等は、画素電極９に供給される画像信号の状態如何による。これにより、液晶装置ＬＤは、画素電極９が配列された面で、画像を表示する（当該面は、図１から明らかなように、後述する導光板４２の幅広面にほぼ相当する。）。
なお、偏光板３０Ｌは、照明装置ＬＢから発せられた光を偏光させ、偏光板３０Ｕは、液晶装置ＬＤを透過してきた光を照明装置ＬＢから発せられた光を偏光させる。これらの偏光板３０Ｕ及び３０Ｌによる偏光の方向は、液晶層ＬＱを透過する光が受ける偏光の方向に依存して決定される。
【００３９】
以上の構成に加えて、第１実施形態の液晶表示装置１００は特に、タッチパネル４０及びこれに関連する構成を備えている。
タッチパネル４０は、図１あるいは図３に示すように、光源４１及び導光板４２を備えている。
このうち光源４１は、複数の発光ダイオード４１０を含む（図３では不図示）。これら複数の発光ダイオード４１０は、図１のＹ方向に沿って一列に配列されており、その発光部分を導光板４２の側端面に向けている。図１では、このような構造をもつ光源４１が、直方体状の部材として簡略化されて描かれている。なお、第１実施形態では、図１に示すように、かかる光源４１が導光板４２を挟むようにして２組設けられている。
【００４０】
一方、導光板４２は、略平板状の形態をもつ光透過性の光学部材である。より具体的には、この導光板４２は、例えばガラス、あるいはポリカーボネートやアクリル樹脂等の透明樹脂から好適に作られる。また、その厚さ（図１中Ｚ方向に沿った長さ）は、例えば、０．５ｍｍから１ｍｍ程度とされて好適である。図から明らかなように、この導光板４２は、基本的に、前記光学部材のみからなる、いわば単純な一枚板として準備され得る。
前述のように、前記の２つの光源４１は、この導光板４２の相互に対向する２つの側端面に沿うように配される。また、これら側端面間に挟まれた２つの幅広面（の内側の面）では、光源４１から入射した光が全反射する。これにより、光源４１から入射した光は、当該導光板４２の側端面からその内部に入射し、該内部全体に行き渡る。あるいは、当該導光板４２の内部全体は当該光でいわば満たされるような状態になる。この際、光源４１から発した光が、導光板４２の内部からその外部に向けて、いわば自発的に出射するという事象は無視しうる程度の影響しか与えない。前記幅広面はそのように調整されている。
【００４１】
前記の光源４１は、図１に示すように、位置検出回路５４に接続されている。
この位置検出回路５４は、光源４１の点灯及び消灯のタイミングを制御する発光ダイオード駆動回路を含む。また、位置検出回路５４は、液晶装置ＬＤ中の第１基板１０上に形成された、前記光検出素子１５に接続されている。
【００４２】
この光検出素子１５は、図１、あるいは図２に示すように、概ね長方形状をもち、その長手方向をＸ方向に一致させ、その短手方向をＹ方向に一致させている。また、光検出素子１５は、図２に示すように、各画素行の間に位置づけられるように配置されている。
このような光検出素子１５は、図１、あるいは図２に示すように、３つの画素電極９を一単位として、１個ずつ形成されている。第１実施形態では、ここでいう３つの画素電極９はそれぞれ、赤フィルタＣＦ１、緑フィルタＣＦ２及び青フィルタＣＦ３のそれぞれに対応する（図２参照）。つまり、光検出素子１５は、前述した“１ピクセル”を一単位として、１個ずつ形成されているのである。
【００４３】
この光検出素子１５は、該素子１５に入射する光の強度に応じた大きさをもつ電流を発生する機能をもつ。具体的には、フォトダイオードが利用されて好適である。なお、光検出素子１５の光検出面は、図１、あるいは図３中上方向を向いている。つまり、光検出素子１５は、当該検出面を導光板４２の幅広面に対向させるように、配置されているのである。これにより、光検出素子１５は、照明装置ＬＢから発した光の入射を直接に受けて、これを電流に変換することはない。
【００４４】
位置検出回路５４は、以上のような光検出素子１５からの出力を受ける。光検出素子１５は、既述のように１ピクセルごとに配置されているから、どの光検出素子１５からの出力に変化があったか等を観察・検知することにより、位置検出回路５４は、その変化のあった光検出素子１５の配置場所に対応する“位置”を検出することが可能である。なお、ここでいう位置は、明らかに、図１あるいは図２等のＸＹ平面内における位置である。
【００４５】
以下では、以上のような構成を備える液晶表示装置１００の動作について、既に参照した図１乃至図３に加えて、図４乃至図９を参照しながら説明する。
位置検出回路５４中の発光ダイオード駆動回路は、光源４１を構成する発光ダイオード４１０の点灯及び消灯のタイミングを、図４の上段に示すように制御する。すなわち、光源４１は、期間Ｔ１において消灯、期間Ｔ２において点灯、が繰り返されるように制御される。この繰り返し周波数は、基本的に任意に設定可能であるが、好適には例えば６０Ｈｚ程度とする。なお、第１実施形態では、Ｔ１＝Ｔ２であるが、場合によっては、Ｔ１≠Ｔ２としてもよい。
このような制御により、光源４１を出射した光が導光板４２の内部に満たされる状態が間欠的に訪れる。
【００４６】
このような状況の下、ユーザが、タッチパネル４０の表面、即ち導光板４２の幅広面に接触すると、以下のような状態変化が観測される。
まず、第１に、ユーザの指等の接触時点が、前記の期間Ｔ１内である場合、光源４１出射の光に起因する変化は当然ながら生じない。一方、当該接触時点が、前記の期間Ｔ２内である場合、光源４１出射の光は、当該指等の表面で散乱する。この散乱光は、光検出素子１５に入射して、電流を発生させる。図４の下段において、符号ＳＬが付され、実線で表されたパルスは、このような状況を表現している。
【００４７】
ここで第２に、光検出素子１５は、当該液晶表示装置１００の外部からその内部に進入しようとする光（以下、「外光」という。）と、照明装置ＬＢから発した光が当該液晶表示装置１００の内部の適当な界面で反射した光（以下、「内光」という。）との影響を受けることに注意する。
【００４８】
まず、“外光”に関する影響について、図６及び図７を参照してより詳細に説明する。
なお、図６及び図７は、期間Ｔ２、即ち光源４１から導光板４２に光が入射している状態を表している（符号Ｌ１及びＬ２参照）。ちなみに、符号Ｌ１及びＬ２は、前者（Ｌ１）がこれら図６及び図７中左側に位置する光源４１からの入射光を、後者（Ｌ２）が図示されない右側に位置する光源４１からの入射光を、それぞれ表しているが、これらの区別は便宜上のものに過ぎない。いずれにせよ、光源４１からの光は、図示するように導光板４２の幅広面で全反射することにより、当該導光板４２の内部全体を満たすことになる。
【００４９】
さて、ユーザの指が導光板４２に接触していない状態では、図６に示すように、外光ＬＯは、そのまま液晶表示装置１００の内部に進行する。したがって、光検出素子１５は、この外光ＬＯの入力を受けて、電流を発生させる。
他方、ユーザの指ＦＵが導光板４２に接触すると、図７に示すように、外光ＬＯは、その進行が遮られる。進行が遮られるのは、指ＦＵが存在する位置であって、それ以外の場所では外光ＬＯの挙動に変化はない。ちなみに、指ＦＵにより、光源４１からの入射光Ｌ１ないしＬ２が散乱を受けることは既に述べたとおりである（図７では、散乱光ＳＬ１として図示されている。）。
【００５０】
このような状態遷移により、光検出素子１５は、図６の状態では、外光ＬＯ由来の、より大きな電流を発生し、図７の状態では、外光ＬＯ由来の、より小さな電流を発生する。また、図７の状態では、光検出素子１５は、光源４１、即ち散乱光ＳＬ１由来の電流も発生する。
図４下段において、破線及び実線で示す検出波形は、これをまとめた結果である。つまり、指ＦＵが触れていないときには、光検出素子１５は大きさΔ１の電流を発生し、触れているときには大きさΔ２（＜Δ１）の電流を発生するとともに、大きさＳＬの電流を発生する。なお、外光ＬＯ由来の電流それ自体は、期間Ｔ１及びＴ２の区別（即ち、光源４１の点灯・消灯）とは無関係である。
【００５１】
次に、“内光”に関する影響について、図８及び図９を参照してより詳細に説明する。なお、図８及び図９は、期間Ｔ１、即ち光源４１から導光板４２に光が入射していない状態を表している。
【００５２】
まず、ユーザの指が導光板４２に接触していない状態では、図８に示すように、内光ＬＩは、光検出素子１５にそのまま入力する。図においては、内光ＬＩの例として、照明装置ＬＢから発した光（符号“ＬＩｄ”参照）が、偏光板３０Ｕの図中上面で反射した光、及び、導光板４２の図中上面で反射した光がそれぞれ示されている。内光ＬＩは、その他の界面における反射光をも含み得る。
他方、ユーザの指ＦＵが導光板４２に接触すると、図９に示すように、内光ＬＩは、この指ＦＵの表面で散乱する（図９中、散乱光ＳＬ２参照。）。この散乱が生じるのは、指ＦＵが存在する位置であって、それ以外の場所では内光ＬＩの挙動に変化はない。
【００５３】
このような状態遷移により、光検出素子１５は、図８の状態では、内光ＬＩ由来の、より小さな電流を発生し、図７の状態では、内光ＬＩ由来の、より大きな電流を発生する。後者において、より大きな電流が発生するのは、既述のように、光検出素子１５が、指ＦＵによる散乱光ＳＬ２由来の電流をも発生させるからである。
図４下段において、一点鎖線で示す検出波形は、これをまとめた結果である。つまり、指ＦＵが触れていないときには、光検出素子１５は大きさΔ３の電流を発生し、触れているときには大きさΔ４（＞Δ３）の電流を発生する。なお、内光ＬＩ由来の電流それ自体も、外光ＬＯの場合と同様、期間Ｔ１及びＴ２の区別とは無関係である。
【００５４】
以上のようなことから、図４の全体は結局以下のように解釈される。すなわち、ユーザの指ＦＵが導光板４２に触れていない期間においては、光検出素子１５は、外光ＬＯ由来の大きさΔ１の電流及び内光ＬＩ由来の大きさΔ３の電流を合算した電流を発生する。この状態は、外光ＬＯ及び内光ＬＩの大きさに変化がない以上は、変化がない。また、光源４１の点灯及び消灯の状態変化にも影響を受けない。
他方、指ＦＵが導光板４２に触れている期間（即ち、図４中の「接触期間」）においては、光検出素子１５は、外光ＬＯ由来の大きさΔ２の電流及び内光ＬＩ由来の大きさΔ４の電流（指ＦＵによる散乱光ＳＬ２由来の電流を含む。）、並びに、指ＦＵによる散乱光ＳＬ１由来の大きさＳＬの電流、のそれぞれを合算した電流を発生する。この状態は、前二者の電流に関しては、上述のΔ１及びΔ３に関する記述と同様のことが言えるが、後一者の電流は、光源４１の点灯及び消灯の状態変化に影響を受ける。これが、図４中実線で示されるパルスとなって現われる。なお、光検出素子１５は、その受けた光の強度に応じた電流を発生することから、当該パルスの高さは、散乱光ＳＬ１の強度を意味しているとみることができる。
【００５５】
位置検出回路５４は、このような検出結果に基づいて、図５に示すような波形を演算、導出する。ここで図５は、図４中の検出波形において、相隣接する期間Ｔ１及びＴ２間の差分をそれぞれとり、かつ、それらを相互に接続することにより得られる、差分波形である。図４に関する上述したような性格により、指ＦＵが導光板４２に接触しないとき差分は０であり、接触するとき大きさＳＬに対応する差分が得られることになる。
このようにして、指ＦＵの接触が検出される。
後は、このような差分波形の導出の元となった光検出素子１５が、図２等に示す各光検出素子１５のうちのどれであったかを確認すれば、指ＦＵが、導光板４２のどこに触れたかを検出することが可能になる。
【００５６】
以上のような構成及び作用をもつ液晶表示装置１００によれば、次のような効果が奏される。
（１）  まず、第１実施形態の液晶表示装置１００、あるいはタッチパネル４０によれば、外光ＬＯ及び内光ＬＩの影響を受けずに、きわめて正確に指ＦＵの接触位置の検出を行うことができる。これは、上述のように、光源４１を点滅させること、及び、図５のような差分波形をとることに基づき指ＦＵの散乱光の変化が求められることによっている。すなわち、図５のような差分をとることにより、外光ＬＯ及び内光ＬＩの影響はいわばキャンセルされることから、光源４１に起因する指ＦＵによる散乱光の検出が比較的厳密に行われることになり、その結果、位置検出の正確性も高まるのである。
【００５７】
なお、これに関連して、外光ＬＯ及び内光ＬＩの強度は、一般に、ＸＹ平面内において均一であるとは限らない。外光ＬＯに関して言えば、例えば、太陽光、あるいは室内照明光がＸＹ平面に対して斜めに射し込んでいる等という場合、ＸＹ平面内の当該外光ＬＯの強度は、例えばＹ方向に沿って次第に低下していく等ということがあり得る。また、内光ＬＩに関しては、その大元（図８のＬＩｄ参照）は液晶層ＬＱを透過してくる画像を表示するための光であるから、ＸＹ平面内の当該内光ＬＩの強度は、場所場所に応じて相違するのがむしろ通常状態と考えることもできる。
このようであるから、これら外光ＬＯ及び内光ＬＩが光検出素子１５に与える、より実際的な影響は、図４、あるいは図６乃至図９を参照して説明したような場合に比べて、より複雑なものになることが考えられる（これは即ち、正確な位置検出を行おうとするにあたって、より深刻な事態といえる。）。
しかるに、第１実施形態によれば、このような複雑さ、あるいは深刻さが相当程度軽減される。というのも、既に述べたように、第１実施形態では、位置検出回路５４が、図５のような差分波形をとるからである。これにより、ＸＹ平面内で外光ＬＯ及び内光ＬＩの強度分布がみられるような場合であっても、ある１個の光検出素子１５の検出結果についての直前・直後間の差分をとれば、結局、当該光検出素子１５に関する前記複雑さ等はキャンセルされてしまうからである。このことは、図２等に示す光検出素子１５の全部に関してもあてはまる。
【００５８】
また、このようなことと併せて、外光ＬＯ及び内光ＬＩの強度変化の影響それ自体をなくす工夫が加えられることも排除されるわけではない。むしろ併用されて好適である。
例えば、位置検出機能を運用する際には、液晶装置ＬＤは、ボタン、スイッチ等の簡易な図柄ないし形象をその内容とする静止画像を表示する、等といった態様を併せ用いれば、内光ＬＩが位置検出に与える影響は一定程度軽減され得る。
また、液晶装置ＬＤが動画像を表示する場合、内光ＬＩの強度はＸＹ平面内で位置的に分布するだけでなく、時間的にも変わっていくことになるが、このような場合であっても、位置検出機能を運用する際には、前記動画像中の一部に位置検出を行うための前記静止画像を表示したり、あるいは、図４を参照して説明した期間Ｔ１及びＴ２の長さを適当に調整（即ち、光源４１の点灯及び消灯タイミング、あるいはその周波数を調整）したりすること等により、内光ＬＩの強度が時々刻々変動することによる影響が、一定程度軽減されることになる。なお、後者の場合、期間Ｔ１及びＴ２で規定される周波数は、動画像表示のフレーム切換周波数よりも大きくするのが好適な一例である（より慎重を期せば、当該周波数は、液晶装置ＬＤが静止画像を表示する場合であっても、そのフレーム切換周波数より大きくするのが好適である。）。
【００５９】
これに関連して、外光ＬＯも時間的に変わっていく場合があり得るが（昼夜の変わり目、あるいはトンネルの内外にわたる移動等）、期間Ｔ１及びＴ２を変更する手法は、かかる場合にも効く。例えば、これら期間Ｔ１及びＴ２の長さを短くして点灯及び消灯の繰り返し周波数を上げることで、結果的に図５様の差分波形を形作るための、より多くのデータの取得を行うとともに、それらの平均値、ないし積分値等を導出する、等によれば、外光ＬＯの時間的変動の様子の読み取りとその結果に基づくキャンセルとが可能となる。
なお、外光ＬＯ及び内光ＬＩの強度変化の影響それ自体をなくす、その他の工夫については、後の “各種の変形”を説明する際にも適宜触れる。
【００６０】
（２）  以上のような正確な位置検出機能が発揮されるにもかかわらず、第１実施形態における液晶表示装置１００では、タッチパネル４０の存在が、液晶装置ＬＤにおいて表示される画像の品質を貶める原因とはならない。これは、散乱光検出による位置検出という上述した原理が採用されていることにより、液晶装置ＬＤ上の画像表示面を覆う導光板４２が、極めて簡単な、単なる一枚板たる構成のみを備えていればよいからである。また、同じ理由により、導光板４２の厚さは比較的小さく抑制することが可能である。以上の結果、液晶層ＬＱ等を透過してきた光は、大きく減衰等することなく、導光板４２を透過可能であるから、画像の品質は貶められないのである。
【００６１】
＜第２実施形態＞
以下では、本発明に係る第２の実施の形態について図１０を参照しながら説明する。なお、この第２実施形態では、上記第１実施形態と比べて特徴的な変更が加えられている部分について特に説明を行うこととし、両者で同一である点についてはその説明を省略する。また、図面における符号も同じものを使用する。
【００６２】
第２実施形態の液晶表示装置１０１は、立体画像表示機能をもつ。その構成に関しては、上記第１実施形態と比べて、光学体６１が備えられている点で異なっている。この光学体６１は、レンチキュラレンズを含む。
レンチキュラレンズは、図１０に示すように、その１本１本がＹ方向に延在する半円筒状レンズの複数から構成される。そして、これら複数の半円筒状レンズは、Ｘ方向に沿って配列される。
このレンチキュラレンズは、照明装置ＬＢから発し液晶装置ＬＤを透過した光を方向ＤＲに進行させ、あるいは方向ＤＡに進行させる。方向ＤＲと方向ＤＡとは別方向である。この場合、方向ＤＲに進行する光は視認者の右眼側に入射し、方向ＤＡに進行する光は左眼側に入射する、という状態を実現することができる。
このような構成と、方向ＤＲ及びＤＡそれぞれに進む光によって構成される画像間に適当な内容の相違をもたせること等とにより、立体画像表示が行われ得る。
【００６３】
このような第２実施形態によっても、前述した第１実施形態と本質的に異ならない作用効果が奏されることは明らかである。
【００６４】
加えて、この第２実施形態では、立体画像表示が行われることから、前述した効果（特に、前記の（２）に係る効果）がより一層実効的に奏されるということができる。なぜなら、立体画像表示を行うためには、右眼用及び左眼用画像間で微妙な視差を設定する必要があるが、タッチパネル４０は、そのような視差設定を阻害することがないからである（言い換えると、仮に、タッチパネル４０を設けない場合に実現される立体画像表示と変わらない品質の立体画像表示を行うことができる、ということでもある。）。
このように、第２実施形態は、立体画像表示を好適に行いながらも、正確な位置検出機能の発揮をも可能とする。
【００６５】
また、この第２実施形態では、前記光検出素子１５の、図２、あるいは図１０に示すような配置態様が重要な意味をもつ。すなわち、液晶表示装置１０１が前述のような立体画像表示機能をもつ場合において、光検出素子１５は、これらの図に示すように、レンチキュラレンズの延在方向と交わる方向に延在するように設けられて好適なのである。このようであれば、光検出素子１５が方向ＤＲ及びＤＡそれぞれに進む光の進行方向に影響を与えることがない、換言すれば、視差設定の邪魔になるようなことがないからである（図１０参照）。
なお、以上の事項に関しては、本発明において、「光検出素子」が、「画素電極からみて…所定量ずらされた位置に形成される」という文言で表現されているが、図２あるいは図１０等に示す態様が、この文言によって特定される事項の一具体例に該当することは明らかである。
【００６６】
なお、この第２実施形態に関しては、以下のような変形例が可能である。
第１に、図１１に示すように、光学体６１と偏光板３０Ｕとの配置を図１０との対比で逆にすることが可能である。すなわち、図１０では、図中下から順に、第２基板２０、偏光板３０Ｕ、光学体６１、導光板４２と並んでいるところ、図１１では、第２基板２０、光学体６１、偏光板３０Ｕ、導光板４２と並んでいる。
このような結果、図１１における液晶表示装置１０２を構成する光学体６１は、図１０の場合に比べて、より液晶装置ＬＤに接近することになる。これにより、視認者が当該液晶表示装置１０２により接近する場合であっても、当該視認者に立体感を感じさせることが可能になるという利点が得られる。
ちなみに、図１１のように、光学体６１を液晶装置ＬＤにより近づけさせることは、立体表示が可能な範囲をどの程度に調整するか、あるいは、画素自体の大きさがどの程度か等が考慮されることにより、要請される場合もある。
【００６７】
なお、図１１のような態様をとる場合には、偏光板３０Ｕは、導光板４２に貼り付けられてしまってもよい。この場合、当該液晶表示装置１０２の組立工程等において、偏光板３０Ｕ及び導光板４２は、一体的に、あるいは１個の部品として取り扱われることになるから、製造容易性等が高まる。また、この場合であって、導光板４２がガラスから作られる場合には、当該導光板４２の破損が未然に防止されるという効果も得られる。ちなみに、図１１の更なる変形例として、偏光板３０Ｕは、導光板４２を基準に、光学体６１からみた反対側に配置されてもよい。
【００６８】
また、第２に、図示はしないが、前記の光学体６１は、レンチキュラレンズのほかに、シャッタ装置を備えて好適である。このシャッタ装置は、例えば前記液晶装置ＬＤとほぼ同様の構成を備えるものとして用意することができる。これによると、当該シャッタ装置は、その液晶層（これは、前記液晶装置ＬＤを構成する液晶層ＬＱではない。）における液晶の配向状態の相違に応じて、液晶装置ＬＤからの光を通過させ、あるいは、遮蔽することが可能である。
このようなシャッタ装置を備えれば、例えば、前記方向ＤＲ及びＤＬに沿って進む光の進行制御をよりよく行うことができる。この場合、シャッタ装置が、Ｙ方向に延在する、いわば細長いシャッタを複数備えるとともに、当該細長いシャッタの２本が円筒状レンズの１本に対応する構造をもつのであれば、更に好適である。かかる構成によれば、２本の細長いシャッタのうち一方が開き、他方が閉じているときには、光は、方向ＤＲに沿って進み、その逆のときには、方向ＤＡに沿って進む、ということをよりよく実現することができるからである。
【００６９】
以上、本発明に係る実施の形態について説明したが、本発明に係る電気光学装置は、上述した形態に限定されることはなく、各種の変形が可能である。
（１）  上記各実施形態では、タッチパネル４０は、図１中Ｙ方向に一列に並ぶ発光ダイオード４１０を備える光源４１を含む構成となっているが、本発明は、かかる形態に限定されない。本発明に係る「光源」は、例えば図１２乃至図１５に示すように様々に構成され得る。
【００７０】
図１２において、光源４１Ａは、４つの発光ダイオード４１１から構成されている。これら４つの発光ダイオード４１１は、同図に示すように、導光板４２の四隅にほぼ対応するように均等に配置される。
このように、本発明において、光源として発光ダイオードを利用する場合における、その設置数は、基本的に自由に定められ得る事項である。現実にどの程度の個数の発光ダイオードを設けるかは、例えば、液晶装置ＬＤの画面サイズ、要求される位置検出精度、等々を勘案して決められることになる（一般的にいって、画面サイズが大なら、発光ダイオードの数も多い方が好ましいと考えられる。）。
【００７１】
図１３においては、光源４１Ｂは、２つの発光ダイオード４１１、及び、これらそれぞれに対応する２つの直方体状導光体４１２から構成されている。このうち直方体状導光体４１２は、基本的に、導光板４２と本質的に同じ機能を果たす。すなわち、直方体状導光体４１２は、発光ダイオード４１１を発し該導光体４１２の端部から入射した光を、その内部に満たすのである。したがって、これは、導光板４２と同様の材料（上述した）から作られて好適である。
ただし、この直方体状導光体４１２は、その一側面、即ち導光板４２の側端面に対向する一側面から、光を出射する機能をもつ（図中符号“４１２ａ”参照）。この出射面４１２ａは、そのような要求を満たすため、具体的には例えば、凹凸、あるいは、楔形断面をもつ微小な突起を所定方向に沿って並列させた構造等を備えて好適である。この場合更に、凹凸、あるいは突起の形成密度が、当該出射面４１２ａ内の位置に応じて、あるいは発光ダイオード４１１からの距離に応じて、変化させられること等により、当該出射面４１２ａ内における光射出効率を均一にする、等といった工夫が加えられてもよい。
あるいは、１個の直方体状導光体４１２の中で、前記出射面４１２ａに対向する面には、場合により、例えばアルミニウム等の比較的高い光反射性能をもつ材料から作られる反射板が備えられてもよい。
【００７２】
図１４において、光源４１Ｃは、有機ＥＬ素子４１３ＥＬ及び導光体４１３から構成されている。
このうち導光体４１３は、少なくともその機能において、前述の直方体状導光体４１２と実質的に同じである。すなわち、導光体４１３は、有機ＥＬ素子４１３ＥＬを出射した光をその内部に導入するとともに当該内部を当該光で満たし、かつ、その一側面から当該光を導光板４２に向けて出射する。ただし、導光体４１３の場合は、その一側面上に有機ＥＬ素子４１３ＥＬを形成可能とするために、その材料はガラスであることが好ましい。
他方、有機ＥＬ素子４１３ＥＬは、この導光体４１３の一側面にあたかも貼り付けられるようにして形成されている。すなわち、有機ＥＬ素子４１３ＥＬは、同図に示すように、反射電極４１３ＥＬｒ、これに対向する透明電極４１３ＥＬｄ、及び、これら両電極の間に挟持される発光機能層４１３ＥＬｏからなる積層構造をもつ。この有機ＥＬ素子４１３ＥＬは、その透明電極４１３ＥＬｄが導光体４１３の一側面上に載るようにして、当該導光体４１３に直接的に形成されうる。
発光機能層４１３ＥＬｏには、反射電極４１３ＥＬｒ及び透明電極４１３ＥＬｄそれぞれが所定の電位に設定されることにより、電流が流される。かかる電流の印加により、発光機能層１８は発光する。発光機能層１８を発した光は、直接、あるいは例えばアルミニウムやマグネシウム等で作られた反射電極４１３ＥＬｒで反射した後、例えばＩＴＯ等で作られた透明電極４１３ＥＬｄを透過して導光体４１３の内部に導入される。
なお、これら導光体４１３及び有機ＥＬ素子４１３ＥＬはいずれも、図１４に示すように、導光板４２の、ある一辺の長さに対応する長さをもつ。ただし、これら（特に、有機ＥＬ素子４１３ＥＬ）は、当該長さの方向に沿って、適当な数に分断されて形成されてよい。
【００７３】
図１５では、図１４を参照して説明した光源４１Ｃが、導光板４２について４つある側端面（つまり、側端面の全部）に対応するように配置されている。
【００７４】
これら図１４及び図１５のように、光源４１Ｃを有機ＥＬ素子４１３ＥＬから構成する場合においては、上述した各実施形態に比べても、なお更に、当該光源４１Ｃ及び導光板４２を薄くすることが可能である。つまり、これらの形態では、画像品質の劣化のおそれを更に低減することが可能になるのである。
なお、有機ＥＬ素子を応用する形態に関する、その他のバリエーションについては、例えば特開平１０−５０１２４を参照されたい。本発明は、かかる文献に開示されるような光源をもまた、好適に利用可能である。
また、図１５に示すような、いわば光源の四辺設置態様は、図１２及び図１３を参照して説明した光源４１Ａ及び４１Ｂ、あるいは上記各実施形態の光源４１についても同様に適用可能であることは言うまでもない。
【００７５】
以上のように、本発明において採り得る光源の具体的態様は様々である。これらの各種態様のうちどれを選択するかは、上でも少し触れたように、液晶装置ＬＤの画面サイズ、位置検出精度、材料コスト・製造コストの有利不利（例えば発光ダイオードの数が増えれば、光量の確保は容易だが、それだけコストは増加する。）、等々を勘案して決められる。
【００７６】
ちなみに、光源（４１，４１Ａ，４１Ｂ，又は４１Ｃ）から発せられる光強度が増大すれば、その散乱光（図７の散乱光ＳＬ１参照）の強度も増加することになるから、図６ないし図９を参照して説明した、外光ＬＯ、あるいは内光ＬＩの影響を低減する効果がより実効的になるという傾向はある。したがって、光源の具体的態様をどのように構成するかを決めるにあたっては、このような事情を勘案することも極めて有意義である。
また、かかる事情は、ある特定の態様をとる光源（例えば、光源“４１Ｃ”）を前提に、当該光源から発せられる光の強度をどの程度に設定するか（例えば、光源４１Ｃなら、発光機能層４１３ＥＬｏにどの程度の大きさの電流を流すか）にあたっても、考慮されて好適である。
以上を要するに、本発明において、光源から発せられる光の強度は、所定値以上であることが好ましいということができる。
【００７７】
（２）  上記各実施形態では、光検出素子１５が、図１あるいは図２を参照して説明したように、1ピクセルごとに１個ずつ設けられているが、本発明は、かかる形態にも限定されない。光検出素子１５の形成密度は、基本的に自由に設定され得る。一般的にいって、位置検出精度は、画像の分解能に比べて、より粗く設定することが可能であると考えられるから、光検出素子１５は、図２との対比で言えば、より疎に形成することが可能である。例えば、ある画素行中の１０ピクセルごとに、光検出素子を１個ずつ形成する等というようである（この場合、当該光検出素子を平面視した形状は、例えば、図２に比べてより長い長方形状となって好適である。）。
これによれば、実用上十分な位置検出精度を確保しながら、製造コスト等の低廉化を実現することができる。
あるいは、1ピクセルごとに１個ずつという場合よりも、より精細度が高まる形成密度（例えば、１“画素電極”ごとに１個の光検出素子）が採用されてもよい。
【００７８】
なお、これに関連して、本発明に係る「光検出素子」は、「複数」設けられて好適ではあるが、必ずしも、これが本発明の必要的要件になるわけではない。例えば、上述した、１０ピクセルごとに１個の光検出素子の設置という例の場合、当該光検出素子は、これら１０個のピクセルのうち両端のピクセル付近で発生した散乱光を受ける場合と、中央のピクセル付近で発生した散乱光を受ける場合とで、その発生する電流の大きさに相違を生じさせることが考えられる。これをうまく利用することができれば、場合によっては、１ピクセルごとに１個の光検出素子を設ける場合における位置検出精度と、それ程遜色のない精度による位置検出が行われる可能性がある。このような考え方を敷衍すれば、「光検出素子」は、絶対に、「複数」必要であるということにはならないのである（なお、そもそも「光検出素子」を何個設けるかは、画面サイズがどの程度であるか等その他の要因にもよる。）。
このようなことから、本発明においては、「光検出手段」が、「光検出素子」を究極的にいえば１個のみ含んでいる場合であっても、その範囲内に収める。特許請求の範囲において、「光検出手段は、複数の光検出素子」を含むとあっても、それは、「１個の光検出素子」を含む場合を積極的に排除するものではない。
【００７９】
（３）  また、上記各実施形態では、光検出素子１５が、カラーフィルタＣＦとは無関係に、その検出面がいわば剥き出しになる状態で、第１基板１０上に形成されているが、本発明は、これら光検出素子１５及びカラーフィルタＣＦの関係を以下のように設定する態様も、その範囲内に収める。
【００８０】
すなわち、図１６及び図１７において、光検出素子１５は、第２基板２０上に赤フィルタＣＦ１と同時に形成された赤フィルタＣＦ１１に覆われるかのごとき状態におかれている。つまり、この赤フィルタＣＦ１１は、図２では遮光膜ＢＭ（図３参照）が形成されるべき領域の一部に形成されているということになる。これにより、光検出素子１５には、赤色光のみが入射することになる。一方、この場合、光源４１は、赤色光を発する発光ダイオード４１０から構成される。
このような形態によれば、図６ないし図９を参照して説明した外光ＬＯ、あるいは内光ＬＩの影響はより低減する。なぜなら、一般に、外光ＬＯ、あるいは内光ＬＩは、全波長領域の光を含んでいる（即ち、白色光である）ことが想定されるが、図１６及び図１７のような形態によれば、赤色光以外の光が光検出素子１５に入射することが防止されることになるからである。つまり、光検出素子１５が発生する電流の総量のうち、ノイズ成分としての外光ＬＯ及び内光ＬＩによる寄与分が、相対的に減少するとみることができるのである。なお、位置検出にあたって重要な散乱光（図７の散乱光ＳＬ１）は、光源４１から赤色光が発せられ、かつ、その赤色光は妨げられることなく光検出素子１５に入射可能であるから、特に大きな問題なく検出可能である。
このように、図１６及び図１７に示す形態によれば、位置検出性能を貶めることなく、なお外光ＬＯ及び内光ＬＩの影響を低減することができる。したがって、かかる形態では、上記各実施形態以上の正確な位置検出が可能性になる。
【００８１】
（４）  上記各実施形態では、導光板４２の幅広面について何らかの要素を付加することについて特に説明していないが、本発明では、当該幅広面に、以下に述べるような様々な要素を備えさせることが可能である。
例えば、導光板４２の幅広面には、光の反射を防止する反射防止膜が設けられてよい。この反射防止膜によれば、導光板４２の表面における外光ＬＯの反射を低減することができるので、外光ＬＯの影響を受けない正確な位置検出という効果は、より確実に享受され得ることになる。同じことは、内光ＬＩについても同様にいえる（即ち、導光板４２の内部側の幅広面における反射が抑えられる。）。
【００８２】
あるいは、当該幅広面には、指の先の油脂等が導光板４２に転写する、あるいは付着するのを防止する保護膜が設けられてもよい。また、かかる保護膜の設置に代えて又は加えて、当該幅広面には、付着した汚れの除去を容易にするための防汚処理を施してもよい。
あるいは更に、本発明は、当該幅広面に付着した汚れを検知する汚損検知手段と、その検知結果に基づいて、前記汚れの量が許容範囲を超えて存在する場合には、ユーザに対してその旨報知する報知手段とを併せ持つことにより、当該幅広面の清掃を一定期間ごとにユーザに促す機能を持たせてもよい。なお、この場合、前記汚損検知手段は、例えば、散乱光の異常発生を観測することを通じて汚れの位置及び程度を推定するものとして構成され得るし、あるいは、より端的に、パターン認識技術等を利用して汚れの位置及び程度を推定するものとして構成され得る。
以上述べたような形態によれば、導光板４２の幅広面ないしその表面は、常に、一定程度以上の清浄さを保ち得ることになるから、例えば前記汚れ等による散乱光の発生等の不具合を被ることなく、位置検出の正確性は更に高まる。
【００８３】
あるいは更に、これらの汚れ対策に代えて又は加えて、位置検出が、この汚れの存在をいわば織り込んだ上で行われるようにする形態も、本発明の範囲内にある。例えば、前記汚損検知手段により、定期的に、導光板４２の幅広面上の汚れの存在位置を確認しておくとともに、位置検出の際には、当該汚れに起因する散乱光をノイズとして無視、あるいはキャンセルするのである。これによれば、汚れの存在にもかかわらず、位置検出をより正確に行うことができることとなる。
【００８４】
（５）  上記第２実施形態では、本発明に係る「電気光学装置」が、もっぱら立体画像表示機能をもつ液晶表示装置に適用される例について説明しているが、本発明はかかる形態に限定されない。例えば、上述した液晶表示装置の構成及び駆動方法と殆ど同一の構成及び駆動方法をもつことで、二画像表示装置を構成することができる。ここでいう二画像表示装置とは、例えば、自動車のダッシュボードの中央に搭載されて好適な装置であり、これにより、運転席側に座る運転者にはある一の画像を、助手席側に座る同乗者にはそれとは別の画像を、それぞれ表示することが可能な装置である。この場合、図１０あるいは図１１における方向ＤＲに進む光が運転席側の画像を、方向ＤＡに進む光が助手席側の画像を、それぞれ構成する、といった運用を行うことになる。
【００８５】
なお、本発明にいう「電気光学装置」とは、電気光学素子を備えることで、所定の画像を表示する機能を少なくとももつ装置をいう。ここで「電気光学素子」とは、電気信号（電流信号又は電圧信号）の供給によって透過率や輝度といった光学的特性が変化する素子である。具体的には例えば、上述した液晶素子や有機ＥＬ素子等がそれに該当する。この電気光学素子を適当な態様で複数配列し、かつ、これらを適当に制御することによって、前記所定の画像を表示することが可能となる。
また、本発明にいう「電気光学装置」は特に、いま述べた要素に加えて、上述したような「タッチパネル４０」をその一具体例とする「タッチパネル」をその要素として含む用語として使用されている。
【００８６】
＜応用例＞
次に、本発明に係る電気光学装置を利用した電子機器について説明する。図１８ないし図２１には、以上に説明した実施形態に係る液晶表示装置を採用した電子機器の形態が図示されている。
【００８７】
図１８は、液晶表示装置を採用したモバイル型のパーソナルコンピュータの構成を示す斜視図である。パーソナルコンピュータ２０００は、各種の画像を表示する液晶表示装置１００と、電源スイッチ２００１やキーボード２００２が設置された本体部２０１０とを具備する。
【００８８】
図１９は、液晶表示装置１００を適用した携帯電話機の構成を示す斜視図である。携帯電話機３０００は、複数の操作ボタン３００１およびスクロールボタン３００２と、各種の画像を表示する液晶表示装置１００とを備える。スクロールボタン３００２を操作することによって、液晶表示装置１００に表示される画面がスクロールされる。
【００８９】
図２０は、液晶表示装置１００を適用した携帯情報端末（ＰＤＡ：Personal Digital Assistants）の構成を示す斜視図である。携帯情報端末４０００は、複数の操作ボタン４００１および電源スイッチ４００２と、各種の画像を表示する液晶表示装置１００とを備える。電源スイッチ４００２を操作すると、住所録やスケジュール帳といった様々な情報が液晶表示装置１００に表示される。
【００９０】
図２１は、前述した、二画像表示装置を適用したカーナビゲーション装置の構成を示す図である。カーナビゲーション装置５０００は、複数の操作ボタン５００１と、各種の画像を表示する二画像表示装置１００１とを備える。操作ボタン５００１を操作すると、経路情報を含む道路地図や、渋滞情報、あるいは、お勧め観光スポット等の様々な情報（以下、「運行関連情報」という。）が二画像表示装置に表示される。
また、このカーナビゲーション装置５０００では、二画像表示装置１００１を利用して、ＤＶＤ、ビデオテープ、あるいはテレビ受像信号等に基づく動画像等の表示を行うこともできる。
そして、このカーナビゲーション装置５０００は、上述した二画像表示装置を搭載しているので、運転席５１００に座る運転手に対して表示される画像と、助手席５２００に座る同乗者に対して表示される画像とを異ならせることができる。この場合、好ましくは（特に、当該自動車の運行中には）、運転席５１００の側に前記運行関連情報に係る画像が、助手席５２００の側に前記動画像等が、それぞれ表示される。
【００９１】
なお、上述した図１８乃至図２１のいずれの場合においても、表示装置として、上記第２実施形態において説明した、立体画像表示機能をもつ液晶表示装置１０１又は１０２が適用されてよい。また、言うまでもないが、図２１については、第１実施形態の液晶表示装置１００が適用されてよく、さらに、図１８乃至図２０については、上述した二画像表示装置が適用されてよい。
【００９２】
本発明に係る電気光学装置が適用される電子機器としては、図１８から図２１に例示した機器のほか、デジタルスチルカメラ、テレビ、ビデオカメラ、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。
【図面の簡単な説明】
【００９３】
【図１】本発明の第１実施形態に係る液晶表示装置の分解斜視図である。
【図２】図１の液晶表示装置を構成する画素及び光検出素子の配置例を示す平面図である。
【図３】図１の液晶表示装置の一部断面図である。
【図４】その上段は図１の液晶表示装置を構成する光源（４１）の点灯及び消灯タイミングを説明するためのタイミングチャートであり、その下段は光検出素子（１５）における検出波形例を示す図である。
【図５】図４下段の検出波形に基づいて求められる差分波形の例を示す図である。
【図６】外光（ＬＯ）が光検出素子（１５）に及ぼす影響を説明するための図（その１；指（ＦＵ）が導光板４２に接触していない場合）である。
【図７】外光（ＬＯ）が光検出素子（１５）に及ぼす影響を説明するための図（その２；指（ＦＵ）が導光板４２に接触している場合）である。
【図８】内光（ＬＩ）が光検出素子（１５）に及ぼす影響を説明するための図（その１；指（ＦＵ）が導光板４２に接触していない場合）である。
【図９】内光（ＬＩ）が光検出素子（１５）に及ぼす影響を説明するための図（その２；指（ＦＵ）が導光板４２に接触している場合）である。
【図１０】本発明の第２実施形態に係る液晶表示装置の一部断面図である。
【図１１】図１０の変形例（光学体（６１）と偏光板（３０Ｕ）の位置変更）である。
【図１２】本発明の電気光学装置を構成する光源の変形例（その１；４つの発光ダイオード（４１１）設置）である。
【図１３】本発明の電気光学装置を構成する光源の変形例（その２；発光ダイオード（４１１）及び直方体状導光体（４１２）設置）である。
【図１４】本発明の電気光学装置を構成する光源の変形例（その３；有機ＥＬ素子（４１３ＥＬ）及び導光体（４１３）設置）である。
【図１５】本発明の電気光学装置を構成する光源の変形例（その３；導光板（４２）の四辺に対応する光源配置）である。
【図１６】図１の液晶表示装置の変形例（光検出素子（１５）を覆う赤フィルタ（ＣＦ１１））を説明するための図（図１と同趣旨の分解斜視図）である。
【図１７】図１６と同じ変形例（光検出素子（１５）を覆う赤フィルタ（ＣＦ１１））を説明するための別の観点からみた図（図２と同趣旨の平面図）である。
【図１８】本発明に係る電子機器の形態（パーソナルコンピュータ）を示す斜視図である。
【図１９】本発明に係る電子機器の形態（携帯電話機）を示す斜視図である。
【図２０】本発明に係る電子機器の形態（携帯情報端末）を示す斜視図である。
【図２１】本発明に係る電子機器の形態（カーナビゲーション装置）を示す図である。
【符号の説明】
【００９４】
１００，１０１，１０２……液晶表示装置、ＬＢ……照明装置、３０Ｕ，３０Ｌ……偏光板、ＬＤ……液晶装置、１０……第１基板、９……画素電極、１５……光検出素子、２０……第２基板、ＣＦ……カラーフィルタ、ＣＦ１……赤フィルタ、ＣＦ２……緑フィルタ、ＣＦ３……青フィルタ、ＣＦ１１……（光検出素子を覆うための）赤フィルタ、４０……タッチパネル、４１，４１Ａ，４１Ｂ，４１Ｃ……光源、４２……導光板、４１０，４１１……発光ダイオード、４１２……直方体状導光体、４１２ａ……出射面、４１３……導光体、４１３ＥＬ……有機ＥＬ素子、４１３ＥＬｄ……透明電極、４１３ＥＬｏ……発光機能層、４１３ＥＬｒ……反射電極、６１……光学体、５２……照明駆動回路、５３……液晶駆動回路、５４……位置検出回路、ＬＯ……外光、ＬＩ……内光、ＳＬ１……（光源出射光由来の）散乱光、ＳＬ２……（内光由来の）散乱光、ＦＵ……指
【図１】
2009187342.tif 000003
【図２】
2009187342.tif 000004
【図３】
2009187342.tif 000005
【図４】
2009187342.tif 000006
【図５】
2009187342.tif 000007
【図６】
2009187342.tif 000008
【図７】
2009187342.tif 000009
【図８】
2009187342.tif 000010
【図９】
2009187342.tif 000011
【図１０】
2009187342.tif 000012
【図１１】
2009187342.tif 000013
【図１２】
2009187342.tif 000014
【図１３】
2009187342.tif 000015
【図１４】
2009187342.tif 000016
【図１５】
2009187342.tif 000017
【図１６】
2009187342.tif 000018
【図１７】
2009187342.tif 000019
【図１８】
2009187342.tif 000020
【図１９】
2009187342.tif 000021
【図２０】
2009187342.tif 000022
【図２１】
2009187342.tif 000023